(57)【要約】【課題】コストの上昇を抑えつつ、１台のリモコンの操作によってその動作が確実に制御され得る電子機器およびプロジェクタを提供する。【解決手段】少なくとも機器コードと制御コードとを含むリモコンコードＣｒを受信する受信部１３と、制御コードに対応付けられた所定の制御を実行する制御部１４とを備え、制御部１４は、所定時間内に受信部１３によって受信された機器コードと制御コードとの同一の組み合わせの受信回数、および所定間隔よりも短い間隔で連続して受信部１３によって受信された機器コードと制御コードとの同一の組み合わせの受信回数の少なくとも一方と予め設定された設定回数Ｎ２とが等しいときに制御コードに対応付けられた所定の制御を実行する。【選択図】図１
2007074069.tif 000002
【特許請求の範囲】
【請求項１】
少なくとも機器コードと制御コードとを含むリモコンコードを受信する受信部と、前記制御コードに対応付けられた所定の制御を実行する制御部とを備え、
前記制御部は、所定時間内に前記受信部によって受信された前記機器コードと前記制御コードとの同一の組み合わせの受信回数、および所定間隔よりも短い間隔で連続して前記受信部によって受信された前記機器コードと前記制御コードとの同一の組み合わせの受信回数の少なくとも一方と予め設定された所定回数とが等しいときに当該制御コードに対応付けられた前記所定の制御を実行する電子機器。
【請求項２】
前記制御部は、前記受信部によって受信された前記所定回数の前記各リモコンコードのうちの最後に受信された当該リモコンコードに含まれる前記制御コードの数に応じて、当該制御コードに対応付けられた前記所定の制御を連続して実行する請求項１記載の電子機器。
【請求項３】
前記所定回数を記憶する記憶手段と、前記所定回数を変更する変更手段とを有することを特徴とする請求項１または２記載の電子機器。
【請求項４】
少なくとも機器コードと制御コードとを含むリモコンコードを受信する受信部と、画像投射用の放電ランプと、前記制御コードに対応付けられると共に前記放電ランプの点灯制御を含む所定の制御を実行する制御部とを備え、
前記制御部は、所定時間内に前記受信部によって受信された前記機器コードと前記制御コードとの同一の組み合わせの受信回数、および所定間隔よりも短い間隔で連続して前記受信部によって受信された前記機器コードと前記制御コードとの同一の組み合わせの受信回数の少なくとも一方と予め設定された所定回数とが等しいときに当該制御コードに対応付けられた前記所定の制御を実行するプロジェクタ。
【発明の詳細な説明】
【技術分野】
【０００１】
本発明は、機器コードと制御コードとを含むリモコンコードを受信する受信部と、受信部によって受信されたリモコンコードの制御コードに対応付けられた所定の制御を実行する制御部とを備えた電子機器およびプロジェクタに関するものである。
【背景技術】
【０００２】
複数の電子機器を制御可能な装置として特開平７−３３６７８０号公報に開示されたリモコン切換装置が知られている。このリモコン切換装置は、制御対象の電子機器を選択するための選択ボタンを有するシステムリモコンと、選択ボタンの操作によって選択された電子機器に対してシステムリモコンからの制御用のコード信号を出力する機器切り換え装置とを備えて構成されている。また、特開平５−３４７７８７号公報には、制御対象の電子機器までの距離に応じて赤外線信号の到達距離を増幅率変換スイッチを操作して設定することにより、制御対象の電子機器よりも遠くにある他の電子機器が誤作動する事態を回避可能なリモートコントロール装置が開示されている。この場合、これらの各装置（以下、各装置を区別しない「リモコン装置」ともいう）を用いることで、複数の電子機器のうちの任意の１つを制御することが可能となる。
【特許文献１】特開平７−３３６７８０号公報（第３−４頁、第１図）
【特許文献２】特開平５−３４７７８７号公報（第２頁、第１図）
【発明の開示】
【発明が解決しようとする課題】
【０００３】
ところが、上記の各リモコン装置を用いて複数の電子機器を制御しようとしたときには、以下の問題点が生じる。すなわち、これらのリモコン装置では、選択ボタン、機器切り換え装置および増幅率変換スイッチなどの電子機器を選択的に制御するための専用の構成要素をリモコン装置側に設けているため、リモコン装置自体の構成が複雑で、その分のコストアップに起因してリモコン装置が高価となる。したがって、このリモコン装置が高価なことに起因して、このリモコン装置と電子機器とを含むシステム全体としてのコストが上昇するという問題点がある。また、特開平５−３４７７８７号公報に開示されているリモートコントロール装置では、制御しようとする電子機器よりも近くに制御対象外の他の電子機器が存在しているときには、その制御対象外の電子機器がリモートコントロール装置からの赤外線信号によって誤作動するという問題点がある。
【０００４】
本発明は、かかる問題点に鑑みてなされたものであり、コストの上昇を抑えつつ、１台のリモコンの操作によってその動作が確実に制御され得る電子機器およびプロジェクタを提供することを主目的とする。
【課題を解決するための手段】
【０００５】
上記目的を達成すべく本発明に係る電子機器は、少なくとも機器コードと制御コードとを含むリモコンコードを受信する受信部と、前記制御コードに対応付けられた所定の制御を実行する制御部とを備え、前記制御部は、所定時間内に前記受信部によって受信された前記機器コードと前記制御コードとの同一の組み合わせの受信回数、および所定間隔よりも短い間隔で連続して前記受信部によって受信された前記機器コードと前記制御コードとの同一の組み合わせの受信回数の少なくとも一方と予め設定された所定回数とが等しいときに当該制御コードに対応付けられた前記所定の制御を実行する。
【０００６】
この電子機器では、所定時間内に受信部によって受信された機器コードと制御コードとの同一の組み合わせの受信回数、および所定間隔よりも短い間隔で連続して受信部によって受信された機器コードと制御コードとの同一の組み合わせの受信回数の少なくとも一方と予め設定された所定回数とが等しいときに制御部がその制御コードに対応付けられた所定の制御を実行する。このため、汎用のリモコンを用いて、そのスイッチの操作回数を異ならせるだけで複数の電子機器のうちの任意の１台だけを確実かつ正確に制御することができる。したがって、複数の電子機器の１つを選択的に制御するための専用の構成要素を備えた高価なリモコン装置を用いることなく、安価な汎用のリモコンを用いて複数の電子機器を個別的に制御することができる結果、１台のリモコンを用いて複数の電子機器を制御するシステムのコストを十分に低く抑えることができる。
【０００７】
また、本発明に係る電子機器は、上記の電子機器において、前記制御部は、前記受信部によって受信された前記所定回数の前記各リモコンコードのうちの最後に受信された当該リモコンコードに含まれる前記制御コードの数に応じて、当該制御コードに対応付けられた前記所定の制御を連続して実行する。
【０００８】
この電子機器では、受信部によって受信された所定回数の各リモコンコードのうちの最後に受信されたリモコンコードに含まれる制御コードの数に応じて、そのリモコンコードに対応付けられた所定の制御を制御部が連続して実行する。このため、例えば、輝度のアップダウンやズーム調整のような電子機器による連続的な動作を制御する際に、最後の操作（例えば、所定回数が３回のときの３回目の操作）だけを任意の長さ（時間）で行う（長押しする）ことにより、電子機器に対して、そのリモコンコードの長さ、つまりそのリモコンコードに含まれる制御コードの数に応じてその制御を連続して実行させることができる。したがって、この電子機器によれば、例えば、所定回数の全て（例えば、所定回数が３回のときの３回の全て）において長押しの操作を行う構成と比較して、連続的な動作を制御する際の操作性を十分に向上させることができる。
【０００９】
また、本発明に係る電子機器は、上記の電子機器において、前記所定回数を記憶する記憶手段と、前記所定回数を変更する変更手段とを有している。
【００１０】
この電子機器では、所定回数を記憶する記憶手段と、その所定回数を変更する変更手段とを有している。このため、所定回数を操作し易い任意の回数に変更することができる。また、制御対象の電子機器の台数が増減したとしても、その台数に応じて各電子機器の所定回数をそれぞれ任意に変更することができるため、制御対象の電子機器の増減に容易に対応することができる。
【００１１】
また、本発明に係るプロジェクタは、少なくとも機器コードと制御コードとを含むリモコンコードを受信する受信部と、画像投射用の放電ランプと、前記制御コードに対応付けられると共に前記放電ランプの点灯制御を含む所定の制御を実行する制御部とを備え、前記制御部は、所定時間内に前記受信部によって受信された前記機器コードと前記制御コードとの同一の組み合わせの受信回数、および所定間隔よりも短い間隔で連続して前記受信部によって受信された前記機器コードと前記制御コードとの同一の組み合わせの受信回数の少なくとも一方と予め設定された所定回数とが等しいときに当該制御コードに対応付けられた前記所定の制御を実行する。
【００１２】
このプロジェクタでは、所定時間内に受信された機器コードと制御コードとの同一の組み合わせの受信回数、および所定間隔よりも短い間隔で連続して受信された機器コードと制御コードとの同一の組み合わせの受信回数の少なくとも一方と予め設定された所定回数とが等しいときに制御部がその制御コードに対応付けられた放電ランプの点灯制御を含む所定の制御を実行する。このため、制御対象外のプロジェクタの放電ランプが誤作動によって意に反して消灯されて、再度点灯させるまでに必要とされる待機時間を経過するまでそのプロジェクタによる再生映像の投射が停止されるという事態を確実に回避することができる。また、誤作動による放電ランプの点灯や消灯を回避することができるため、放電ランプの長寿命化を図ることができる。
【発明を実施するための最良の形態】
【００１３】
以下、本発明に係る電子機器およびプロジェクタの最良の形態について、添付図面を参照して説明する。図１に示すプロジェクタ１は、本発明に係る電子機器およびプロジェクタの一例であって、テレビ映像、ＶＴＲやＤＶＤプレーヤ等の再生装置１１０によって再生された映像、および設定画面Ｐ（図３，４参照）等をスクリーン１００に対してその前面側から投射（表示）可能に構成されている。また、プロジェクタ１は、図１，７に示すリモコン２を用いた各種の遠隔操作が可能に構成されている。
【００１４】
この場合、リモコン２は、例えば、電源オンオフスイッチ、メニュースイッチ、カーソルスイッチ、表示スイッチ、表示停止スイッチ、輝度調整スイッチおよびズームスイッチなどのプロジェクタ１を遠隔操作するための各種スイッチが配設された汎用のリモコンであって、これらのスイッチが操作されたときに、そのスイッチに対応付けられた制御の実行を指示するリモコンコードＣｒで光変調した赤外線信号を送信する。ここで、リモコンコードＣｒは、図２に示すように、一例として、メーカーや機種等の電子機器（本例ではプロジェクタ１）を特定可能な機器コードＣ１と、電子機器に対する制御内容を特定可能な制御コードＣ２とを含んで構成されている。なお、リモコンコードＣｒの構成はこれに限定されず、例えば、機器コードＣ１の前にメーカコードを含んだ構成であっても良いし、他のコードを含んだ構成であっても良い。
【００１５】
また、プロジェクタ１は、図１に示すように、画像処理部１１、光学エンジン１２、受信部１３、制御部１４、タイマー１５および記憶部１６を備えて構成されている。画像処理部１１は、制御部１４の制御に従い、例えば再生装置１１０から出力された映像信号Ｓｖに基づいて表示用映像データＤｖを生成して光学エンジン１２に出力する。光学エンジン１２は、画像投射用の放電ランプ（例えば高圧水銀灯）１２ａ、光変調素子およびズームレンズ等を備えて構成され、放電ランプ１２ａからの光を表示用映像データＤｖに基づいて投射光に光変調すると共に、投射光を拡大してスクリーン１００に投射する。受信部１３は、リモコン２から送信されたリモコンコードＣｒを受信して制御部１４に出力する。
【００１６】
制御部１４は、「マルチモード」および「シングルモード」の２つのモードに応じた制御を実行する。具体的には、制御部１４は、「マルチモード」が設定されている状態においてリモコンコードＣｒが受信されたときには、図５に示す制御処理２０を実行する。この場合、制御部１４は、所定時間ｔ（例えば２秒）内に受信部１３によって受信されたリモコンコードＣｒに含まれている機器コードＣ１と制御コードＣ２との同一の組み合わせの受信回数Ｎ１、つまり、含まれている機器コードＣ１および制御コードＣ２の組み合わせが同一であるリモコンコードＣｒ（以下、「同一のリモコンコードＣｒ」ともいう）の受信回数Ｎ１を特定する。なお、本明細書では、リモコンコードＣｒに含まれている機器コードＣ１自体および制御コードＣ２自体が同一である限り、各コードＣ１，Ｃ２の数が異なっていたとしても、それらは「同一の組み合わせ」であるものとする。また、制御部１４は、後述する設定画面Ｐ（図３，４参照）で設定される操作モードの種類を記憶部１６に記憶させる。さらに、制御部１４は、本発明における変更手段として機能して、設定画面Ｐで設定（または変更）される設定回数Ｎ２（本発明における所定回数に相当）を記憶部１６に記憶させる。また、制御部１４は、制御処理２０において、特定したリモコンコードＣｒの受信回数Ｎ１と予め設定された設定回数Ｎ２とが等しいときには、そのリモコンコードＣｒの制御コードＣ２によって特定される制御（つまり、その制御コードＣ２に対応付けられている所定の制御）を実行する。一方、制御部１４は、「シングルモード」が設定されている状態において受信部１３によってリモコンコードＣｒが受信されたときには、上記の制御処理２０を実行することなく通常の制御、つまり、そのリモコンコードＣｒの制御コードＣ２に対応付けられている制御を実行する。
【００１７】
タイマー１５は、制御部１４の制御に従って所定時間ｔのカウントを開始し、所定時間ｔが経過した時点でタイマー信号Ｓｔを制御部１４に出力する。記憶部１６は、本発明における記憶手段に相当し、設定画面Ｐで設定される操作モードの種類および設定回数Ｎ２を記憶する。
【００１８】
次に、一例として、図７に示すように、１台のリモコン２を用いて２台のプロジェクタ１（以下、各プロジェクタ１を区別するときには、これらをそれぞれ「プロジェクタ１Ａ，１Ｂ」ともいう）の動作を制御して、再生装置１１０によって再生される映像（以下、「再生映像」ともいう）をスクリーン１００に投射するときの操作方法、および、その際のプロジェクタ１の動作について図面を参照して説明する。まず、リモコン２の電源オンオフスイッチを操作してプロジェクタ１Ａを起動させた後に、リモコン２のメニュースイッチを操作する。この際に、制御部１４が、画像処理部１１および光学エンジン１２を制御して、「操作モード」および「設定回数」の設定を行うための設定画面Ｐ（図３参照）をスクリーン１００に表示させる。
【００１９】
ここで、このプロジェクタ１では、１つのリモコン２で１台のプロジェクタ１を制御するための「シングルモード」、および１つのリモコン２で複数のプロジェクタ１を個別に（選択的に）制御するための「マルチモード」のいずれかを選択可能に構成されおり、上記したように２台のプロジェクタ１Ａ，１Ｂを１つのリモコン２で個別に制御する際には、リモコン２のカーソルスイッチを操作して、図３に示すように、「マルチモード」を選択する。次いで、リモコン２のカーソルスイッチを操作して、図４に示すように、プロジェクタ１Ａについての設定回数Ｎ２を例えば「２回」に設定する。この際に、制御部１４は、設定された「２回」を設定回数Ｎ２として記憶部１６に記憶させる。以上により、プロジェクタ１Ａに対するモードの設定および設定回数Ｎ２の設定が完了する。次に、リモコン２を用いて同様の操作を行うことにより、プロジェクタ１Ｂに対してモードの設定および設定回数の設定を行う。この場合、プロジェクタ１Ａについて設定した「２回」とは異なる例えば「３回」をプロジェクタ１Ｂについての設定回数Ｎ２として設定する。
【００２０】
次に、プロジェクタ１Ａ，１Ｂをスクリーン１００に向けてそれぞれセットすると共に、２台の再生装置１１０をプロジェクタ１Ａ，１Ｂにそれぞれ接続する。次いで、例えば、プロジェクタ１Ａに対して再生映像の投射を開始させるときには、リモコン２の表示スイッチを所定時間ｔ（例えば２秒）内に連続して２回操作する。この際に、リモコン２は、図２に示すように、機器コードＣ１および制御コードＣ２を含むリモコンコードＣｒを所定時間ｔ内に２回送信する。
【００２１】
一方、プロジェクタ１Ａ，１Ｂでは、各受信部１３がリモコン２から送信されたリモコンコードＣｒを受信して制御部１４に出力する。これに応じて、各プロジェクタ１Ａ，１Ｂの各制御部１４（以下、各制御部１４を区別するときには、これらをそれぞれ「制御部１４Ａ，１４Ｂ」ともいう）が、図５に示す制御処理２０をそれぞれ開始する。この制御処理２０では、各制御部１４Ａ，１４Ｂは、まず、リモコンコードＣｒの受信回数Ｎ１のカウントを「１回」にセットすると共に（ステップ２１）、タイマー１５に対して所定時間ｔのカウントを開始させる（ステップ２２）。この場合、タイマー１５は、所定時間ｔが経過した時点でタイマー信号Ｓｔを制御部１４に出力する。
【００２２】
次いで、制御部１４Ａ，１４Ｂは、同一のリモコンコードＣｒが新たに受信されたか否かを判別する（ステップ２３）。この際に、制御部１４Ａ，１４Ｂは、受信部１３によって同一のリモコンコードＣｒが新たに受信されたときには、リモコンコードＣｒの受信回数Ｎ１をカウントアップ（この場合、「１回」から「２回」にカウントアップ）した後に（ステップ２４）、タイマー１５からタイマー信号Ｓｔが出力されたか否か、つまり所定時間ｔが経過したか否かを判別する（ステップ２５）。この場合、制御部１４Ａ，１４Ｂは、ステップ２３において同一のリモコンコードＣｒが新たに受信されなかったときは、ステップ２４を実行することなくステップ２５を実行する。次いで、制御部１４Ａ，１４Ｂは、ステップ２５において所定時間ｔが経過していないと判別したときには、ステップ２３を再度実行する。したがって、制御部１４Ａ，１４Ｂは、所定時間ｔが経過するまでステップ２３〜２５またはステップ２３，２５を繰り返し実行する。これにより、制御部１４Ａ，１４Ｂは、所定時間ｔ内に受信部１３によって受信された同一のリモコンコードＣｒの受信回数Ｎ１を特定（カウント）する。この場合、図２に示すように、同一のリモコンコードＣｒがリモコン２から所定時間ｔ内に２回送信されて、それらが受信部１３によって受信されるため、各制御部１４Ａ，１４Ｂは、リモコンコードＣｒの受信回数Ｎ１を「２回」と特定する。
【００２３】
続いて、プロジェクタ１Ａの制御部１４Ａは、ステップ２５において所定時間ｔが経過したと判別したときには、カウントした受信回数Ｎ１（この場合、「２回」）と記憶部１６に記憶されているプロジェクタ１Ａについての設定回数Ｎ２（この場合、「２回」）とが等しいか否かを判別する（ステップ２６）。この場合、両回数Ｎ１，Ｎ２が等しいため、制御部１４Ａは、受信したリモコンコードＣｒの制御コードＣ２に対応付けられた制御を実行する（ステップ２７）。具体的には、制御部１４Ａは、画像処理部１１を制御して、再生装置１１０から出力された映像信号Ｓｖに基づく表示用映像データＤｖを光学エンジン１２に出力させる。また、制御部１４Ａは、光学エンジン１２を制御して、放電ランプ１２ａを点灯させると共に（本発明における放電ランプの点灯制御）、表示用映像データＤｖに基づく映像をスクリーン１００に投射させる。これにより、プロジェクタ１Ａによる再生映像のスクリーン１００への投射が開始される。次いで、制御部１４Ａは、受信回数Ｎ１を「０」にリセットして（ステップ２８）、制御処理２０を終了する。
【００２４】
一方、プロジェクタ１Ｂの制御部１４Ｂは、プロジェクタ１Ａの制御部１４Ａと同様にして、ステップ２５において所定時間ｔが経過したと判別したときには、受信回数Ｎ１（この場合、「２回」）と記憶部１６に記憶されているプロジェクタ１Ｂについての設定回数Ｎ２（この場合、「３回」）とが等しいか否かを判別する（ステップ２６）。この場合、両回数Ｎ１，Ｎ２が異なる（等しくない）ため、制御部１４Ｂは、記憶部１６に記憶されている受信回数Ｎ１を「０」にリセットして（ステップ２８）、制御処理２０を終了する。つまり、制御部１４Ｂは、リモコンコードＣｒの制御コードＣ２に対応付けられた制御を実行することなく制御処理２０を終了する。
【００２５】
次いで、例えば、プロジェクタ１Ａに対して再生映像の投射を停止させると共に、プロジェクタ１Ｂに対して再生映像の投射を開始させるときには、まず、リモコン２の表示停止スイッチを所定時間ｔ内に連続して２回操作する。この際に、プロジェクタ１Ａ，１Ｂの制御部１４Ａ，１４Ｂは、上記した制御処理２０をそれぞれ実行する。この場合、プロジェクタ１Ａの制御部１４Ａは、ステップ２６において、両回数Ｎ１，Ｎ２が等しいと判別して、ステップ２７を実行する。この際に、制御部１４Ａは、画像処理部１１および光学エンジン１２に対する制御（リモコンコードＣｒの制御コードＣ２に対応付けられた制御）を実行することにより、表示用映像データＤｖの出力を停止させると共に、放電ランプ１２ａを消灯させて再生映像の投射を停止させる。一方、プロジェクタ１Ｂの制御部１４Ｂは、制御処理２０のステップ２６において、両回数Ｎ１，Ｎ２が異なると判別して、リモコンコードＣｒの制御コードＣ２に対応付けられた制御を実行することなく制御処理２０を終了する。
【００２６】
次いで、リモコン２の表示スイッチを所定時間ｔ内に連続して３回操作する。この際に、プロジェクタ１Ａ，１Ｂの制御部１４Ａ，１４Ｂは、制御処理２０をそれぞれ実行する。この場合、プロジェクタ１Ａの制御部１４Ａは、ステップ２６において、両回数Ｎ１，Ｎ２が等しくないと判別して、リモコンコードＣｒの制御コードＣ２に対応付けられた所定の制御を実行することなく制御処理２０を終了する。一方、プロジェクタ１Ｂの制御部１４Ｂは、ステップ２６において、両回数Ｎ１，Ｎ２が等しいと判別して、ステップ２７を実行する。この場合、制御部１４Ｂは、画像処理部１１および光学エンジン１２に対する制御（リモコンコードＣｒの制御コードＣ２に対応付けられた所定の制御）を実行することにより、表示用映像データＤｖを出力させると共に、放電ランプ１２ａを点灯させて再生映像の投射を開始させる。このように、各制御部１４Ａ，１４Ｂは、受信回数Ｎ１と設定回数Ｎ２とが等しいときにのみリモコンコードＣｒの制御コードＣ２に対応付けられた所定の制御を実行する。このため、制御しようとしている制御対象のプロジェクタ１に応じてスイッチの操作回数を異ならせることで、プロジェクタ１Ａ，１Ｂのうちの任意の１台の動作だけを確実に制御することが可能となる。したがって、例えば、制御対象外のプロジェクタ１の放電ランプ１２ａが誤作動によって意に反して消灯されて、再度点灯させるまでに必要とされる待機時間を経過するまでそのプロジェクタ１による再生映像の投射が停止されるという事態が確実に回避される。
【００２７】
次いで、例えば、プロジェクタ１Ｂに対して輝度のアップダウンを制御するときには、リモコン２の輝度調整スイッチを連続して３回操作する。この場合、輝度を連続的に数段階アップさせるときには、最後の操作（この場合、３回目の操作）の際に、輝度調整スイッチを任意の長さだけ操作し続ける。これに応じて、リモコン２は、図６に示すように、３回目のリモコンコードＣｒの送信の際に輝度調整スイッチの操作時間に応じた数の制御コードＣ２をリモコンコードＣｒに含める。次いで、プロジェクタ１Ａ，１Ｂの制御部１４Ａ，１４Ｂは、制御処理２０をそれぞれ実行する。この際に、プロジェクタ１Ａの制御部１４Ａは、ステップ２６において、両回数Ｎ１，Ｎ２が異なると判別して、リモコンコードＣｒの制御コードＣ２に対応付けられた所定の制御を実行することなく制御処理２０を終了する。一方、プロジェクタ１Ｂの制御部１４Ｂは、ステップ２６において、両回数Ｎ１，Ｎ２が等しいと判別して、ステップ２７を実行することにより、再生映像の輝度をアップさせる。この場合、リモコン２から出力されたリモコンコードＣｒのうちの最後に出力されたリモコンコードＣｒは、例えば、同図に示すように、輝度調整スイッチの操作時間に応じた数の制御コードＣ２を含んでいる。この際には、制御部１４Ｂは、出力されたリモコンコードＣｒに含まれている制御コードＣ２の数に応じて、その制御コードＣ２の数の分だけ輝度を連続的に数段階アップさせる。以下、プロジェクタ１Ａ，１Ｂの制御部１４Ａ，１４Ｂは、受信部１３によってリモコンコードＣｒが受信される度に制御処理２０を実行する。
【００２８】
このように、このプロジェクタ１によれば、所定時間ｔ内に受信された同一のリモコンコードＣｒの受信回数Ｎ１と設定回数Ｎ２とが等しいときにリモコンコードＣｒの制御コードＣ２に対応付けられている所定の制御を制御部１４が実行することにより、汎用のリモコン２を用いて、そのスイッチの操作回数を異ならせるだけで複数のプロジェクタ１のうちの任意の１台だけを確実かつ正確に制御することができる。したがって、複数のプロジェクタ１（電子機器）の１つを選択的に制御するための専用の構成要素を備えた高価なリモコン装置を用いることなく、安価な汎用のリモコン２を用いて複数のプロジェクタ１を個別的に（選択的に）しかも確実かつ正確に制御することができる結果、１台のリモコン２を用いて複数のプロジェクタ１を制御するシステムのコストを十分に低く抑えることができる。
【００２９】
また、このプロジェクタ１によれば、所定時間ｔ内に受信された同一のリモコンコードＣｒの受信回数Ｎ１と設定回数Ｎ２とが等しいときにリモコンコードＣｒの制御コードＣ２に対応付けられている放電ランプ１２ａの点灯制御を含む所定の制御を制御部１４が実行することにより、制御対象外のプロジェクタ１の放電ランプ１２ａが誤作動によって意に反して消灯されて、再度点灯させるまでに必要とされる待機時間を経過するまでそのプロジェクタ１による再生映像の投射が停止されるという事態を確実に回避することができる。また、誤作動による放電ランプ１２ａの点灯や消灯を回避することができるため、放電ランプ１２ａの長寿命化を図ることができる。
【００３０】
さらに、このプロジェクタ１によれば、受信部１３によって受信された設定回数Ｎ２のリモコンコードＣｒのうちの最後に受信されたリモコンコードＣｒに含まれている制御コードＣ２の数に応じて、その制御コードＣ２に対応付けられている制御を制御部１４が連続して実行することにより、例えば、輝度のアップダウンやズーム調整のようなプロジェクタ１による連続的な動作を制御する際に、最後の操作（例えば、設定回数Ｎ２が３回のときの３回目の操作）だけを任意の長さ（時間）で行う（長押しする）ことにより、プロジェクタ１に対して、そのリモコンコードＣｒに含まれている制御コードＣ２の数（つまり操作時間）に応じてその制御を連続して実行させることができる。したがって、このプロジェクタ１によれば、例えば、設定回数Ｎ２の全て（例えば、設定回数Ｎ２が３回のときの３回の全て）において長押しの操作を行う構成と比較して、連続的な動作を制御する際の操作性を十分に向上させることができる。
【００３１】
なお、本発明は、上記の構成に限定されない。例えば、１台のリモコン２を用いて２台のプロジェクタ１を制御する例について上記したが、これに限定されず、任意の複数のプロジェクタ１を１台のリモコン２で制御することができる。この場合、このプロジェクタ１では、制御部１４が設定回数Ｎ２を変更する変更手段とて機能して、記憶部１６がその設定回数Ｎ２を記憶するため、使用者は、設定回数Ｎ２を操作し易い任意の回数に変更することができる。また、制御対象のプロジェクタ１の台数が増減したとしても、その台数に応じて各プロジェクタ１の設定回数Ｎ２をそれぞれ任意に変更することができるため、制御対象のプロジェクタ１の増減に容易に対応することができる。
【００３２】
また、リモコンコードＣｒの受信回数Ｎ１を特定するための所定時間ｔを予め２秒に規定する例について上記したが、所定時間ｔを任意の時間に設定可能な構成を採用することもできる。この構成によれば、リモコン２を用いて制御する電子機器の台数に応じて所定時間ｔの長さを調整することができる。この場合、例えば、リモコン２で制御する電子機器の台数が多いときにはその台数に合わせて所定時間ｔを長く設定することにより、使用者は、必要とされる回数のスイッチ操作を所定時間ｔ内に確実に実行することができる。また、リモコン２で制御する電子機器の台数が少ないときには所定時間ｔを短く設定することにより、リモコンコードＣｒの制御コードＣ２に対応付けられた所定の制御を迅速に実行させることができる。また、各プロジェクタ１についての設定回数Ｎ２を互いに異なる回数に規定した例について上記したが、複数のプロジェクタ１についての設定回数Ｎ２を同じ回数に規定することもでき、このように規定することで、例えば、１台のリモコン２を用いて、多数のプロジェクタ１のうちの任意の複数のプロジェクタ１に対して同じ制御を同時に実行させることができる。
【００３３】
また、所定時間ｔ内に受信された同一のリモコンコードＣｒの受信回数Ｎ１と設定回数Ｎ２とが等しいときに制御部１４が所定の制御を実行する例について上記したが、図８に示すように、所定間隔ｉ（例えば０．５秒）よりも短い間隔で連続して受信された同一のリモコンコードＣｒの受信回数（以下、この受信回数を「受信回数Ｎ３」ともいう）と設定回数Ｎ２とが等しいときにそのリモコンコードＣｒの制御コードＣ２に対応付けられた制御を制御部１４が実行する構成を採用することもできる。また、受信回数Ｎ１および受信回数Ｎ３の両者を特定可能に制御部１４を構成し、両受信回数Ｎ１，Ｎ３のいずれに基づいて制御部１４に制御処理２０を実行させるかを上記した設定画面Ｐ等において選択可能な構成をプロジェクタ１に採用することもできる。
【００３４】
さらに、スクリーン１００等に対してその背面側から投射光を投射することによって各種の画像や映像を表示するリアプロジェクション型のプロジェクタに本発明を適用することもできる。また、本発明に係る電子機器としては、プロジェクタに限定されず、ステレオおよびラジオ等の音響機器や、テレビ、ＶＴＲ、ＤＶＤプレーヤおよびディジタルチューナー等のＡＶ機器、並びに照明機器、空気清浄機およびエアコン等の家電品のようにリモコン２（リモコンコードＣｒ）によってその動作を制御可能な各種の電子機器が含まれ、これらにおける複数種類の電子機器の動作を１台のリモコン２で制御することができる。この場合、例えば、エアコンを含む複数種類の電子機器を１台のリモコン２で制御する際には、電源のオンオフを確実に制御することができるため、消費電力の大きいコンプレッサの再起動等が誤作動によって繰り返される事態を確実に回避することができる。
【図面の簡単な説明】
【００３５】
【図１】プロジェクタ１の構成を示すブロック図である。
【図２】リモコンコードＣｒの構成の一例を示すデータ構成図である。
【図３】操作モードの選択時における設定画面Ｐの表示画面図である。
【図４】設定回数Ｎ２の設定時における設定画面Ｐの表示画面図である。
【図５】制御処理２０のフローチャートである。
【図６】リモコンコードＣｒの構成の他の一例を示すデータ構成図である。
【図７】プロジェクタ１Ａ，１Ｂの配置図である。
【図８】リモコンコードＣｒの他のデータ構成例を示すデータ構成図である。
【符号の説明】
【００３６】
１  プロジェクタ、２  リモコン、１２ａ  放電ランプ、１３  受信部、１４  制御部、１６  記憶部、Ｃ１  機器コード、Ｃ２  制御コード、Ｃｒ  リモコンコード、Ｎ１  受信回数、Ｎ２  設定回数、ｔ  所定時間、ｉ  所定間隔
【図１】
2007074069.tif 000003
【図２】
2007074069.tif 000004
【図３】
2007074069.tif 000005
【図４】
2007074069.tif 000006
【図５】
2007074069.tif 000007
【図６】
2007074069.tif 000008
【図７】
2007074069.tif 000009
【図８】
2007074069.tif 000010